(57)【特許請求の範囲】
【請求項１】
原稿を光学的に読み取る画像読取装置であって、
原稿が載置される原稿台と、
前記原稿台に対して開閉する圧板と、
前記圧板の開閉角度が開状態から第１の角度まで閉じたことを検出する第１の角度検出手段と、
前記圧板が前記第１の角度からさらに第２の角度まで閉じたことを検出する第２の角度検出手段と、
前記第１の角度が検出された際に、前記原稿に向かって光を照射し、その反射光の分布を第１読取データとして記録する第１読取手段と、
前記第２の角度を検出してから所定時間が経過した際に、前記原稿に向かって光を照射し、その反射光の分布を第２読取データとして記録する第２読取手段と、
前記第２読取データに基づいて、前記圧板の閉止状態を検出する圧板閉止確認手段と、
前記圧板閉止確認手段により前記第２読取データを読み取った際の前記圧板の角度が前記第２の角度よりさらに閉じた第３の角度以下であることが検出されるまでは、所定の閾値よりも輝度の高い部分を原稿部分として検出することにより原稿幅検出を行い、前記第３の角度以下であることが検出された場合には、検出方法を切り替えて、前記第１読取データと前記第２読取データとの差分に基づいて原稿幅検出を行う原稿幅検出手段と
を備えることを特徴とする画像読取装置。
【請求項２】
前記圧板が前記第１の角度から第２の角度の間のいずれかの開閉角度であるときに、前記照射及びその消灯を行い、照射時及び消灯時の反射光の分布を記録する外乱光記録手段をさらに備え、
前記原稿幅検出手段は、前記第１読取手段による記録結果に替えて、前記外乱光記録手段に記録されている記録結果を用いて原稿幅検出を行う
ことを特徴とする請求項１に記載の画像読取装置。
【請求項３】
前記第１読取データ及び前記第２読取データの前記原稿幅方向の各分布位置における最小値を抽出した合成分布データを生成する合成データ生成手段をさらに備え、
前記原稿幅検出手段は、
前記圧板閉止確認手段により前記圧板が前記第２の角度と前記第３の角度の間に位置していることを検出した場合には、前記合成データ生成手段で生成された合成分布データにおける輝度データと前記所定の閾値としての第１の閾値との比較結果に基づいて原稿部分を特定することにより前記原稿幅検出を行い、
前記圧板閉止確認手段により前記圧板が前記第３の角度よりも閉じていることが検出された場合には、前記第１読取手段による記録結果と前記第２読取手段による記録結果との差分における輝度データと前記所定の閾値としての第２の閾値とに基づいて原稿部分を特定することにより原稿幅検出を行う
ことを特徴とする請求項１又は２に記載の画像読取装置。
【請求項４】
前記原稿幅検出手段は、前記圧板閉止確認手段により前記圧板の位置が前記第２の角度よりも大きいことが検出された場合、前記第１読取手段による前記第１読取データと、前記第１の閾値よりも高い第３の閾値とに基づいて原稿幅検出を行う
ことを特徴とする請求項３に記載の画像読取装置。
【請求項５】
原稿を光学的に読み取る画像読取装置であって、
原稿が載置される原稿台と、
前記原稿台に対して開閉する圧板と、
前記圧板の開閉角度が開状態から所定の角度まで閉じたことを検出する角度検出手段と、
前記角度検出手段が前記所定の角度を検出した際に、前記原稿に向かって光を照射し、その反射光の分布を第１読取データとして記録する第１読取手段と、
前記所定の角度を通過してから所定時間が経過した際に、前記原稿に向かって光を照射し、その反射光の分布を第２読取データとして記録する第２読取手段と、
前記第２読取データに基づいて、前記圧板の閉止状態を検出する圧板閉止確認手段と、
前記圧板閉止確認手段により、前記圧板が前記所定の角度よりもさらに閉じた角度よりも閉じていることが検出されるまでは、所定の閾値よりも輝度の高い部分を原稿部分として検出することにより原稿幅検出を行い、前記圧板が前記所定の角度よりもさらに閉じた角度よりも閉じていることが検出された場合には、検出方法を切り替えて、前記第１読取データと前記第２読取データとの差分に基づいて原稿幅検出を行う原稿幅検出手段と
を備えることを特徴とする画像読取装置。
【請求項６】
前記第１読取手段による記録と前記第２読取手段による記録とから、各分布位置における最小値を抽出した合成分布データを生成する合成データ生成手段をさらに備え、
前記原稿幅検出手段は、前記圧板閉止確認手段により前記圧板が、前記所定の角度と前記所定の角度よりもさらに閉じた角度との間に位置することが検出された場合に、前記合成分布データに基づいて原稿幅検出を行う
ことを特徴とする請求項５に記載の画像読取装置。
【発明の詳細な説明】
【技術分野】
【０００１】
本発明は、スキャナーやコピー機、ＦＡＸ装置、複合機などに備えられ、原稿台に載置された原稿を光学的に読み取る画像読取装置に関し、特に原稿台に載置された原稿の主走査方向におけるサイズの誤検出を低減させることのできる画像読取装置に関する。
【背景技術】
【０００２】
従来、スキャナーやコピー機、ＦＡＸ装置、複合機などに備えられ、原稿台に載置された原稿を光学的に読み取る画像読取装置が知られている。この画像読取装置では、原稿サイズを誤判別すると、画像の読み取りが正確にできなくなり、画像データの欠損等を引き起こすことから、読取対象となる原稿のサイズを検出する原稿サイズ検出機構が一般的に実装されている。
【０００３】
原稿カバーが開閉する方向（主走査方向）の原稿サイズを検出する機構としては、圧板を閉じることによって、プラテンガラス上に載置された原稿を上方から押さえ、走査装置により走査して照射し、反射された光を走査装置に入射させて前記原稿の画像を読み取るものがある。
【０００４】
この機構では、圧板が開いた状態で光を照射すると、原稿部分以外の部分（非原稿部）からの反射光は検出されないため、原稿部分と非原稿部分とで輝度が異なる。この原稿部分と非原稿部分とで輝度が異なることを用いて原稿幅を検出する手法（以下、「黒部検出法」と称する。）がある。
【０００５】
ところで、この黒部検出法では、黒ベタ原稿などのように、印字面における濃度の高い部分等からの反射が低いことから、この黒ベタ部分を非原稿部であると検出してしまい、原稿幅を誤検知しやすいという傾向がある。
【０００６】
従来、このような問題点を改善した手法として、特許文献１に開示された技術がある。この技術では、非原稿部の圧板の映り込みが圧板開閉動作の角度で変わり、反射光に変化が生じることを利用し、反射光による輝度の変化が生じた部分を原稿部と非原稿部の境界であると検出して、幅検出を行う（以降、「圧板開閉差分法」と称する。）。この「圧板開閉差分法」では、圧板半開状態を検知するセンサー（中角度センサー）による検知をトリガとして、圧板半開時点で読み取りを行い、その読み取り後、所定時間経過後に、圧板閉状態（圧板が半開状態よりもより閉じた状態ではあるが完全に閉じた状態ではない）での読み取りを行う。すなわち、圧板が閉じるまでの２つの角度において得られる読取データ（中角度データ及び小角度データ）を比較し、輝度差が生じている部分を検出し、その部分を原稿部分と非原稿部分の境界として原稿幅を算出する。この圧板開閉差分法では、圧板の開閉動作による圧板の映り込みによって、開閉段階で輝度差が生じるのを利用しており、用紙の色や印字面の濃度などに関わらず、原稿幅を検出することができる。
【先行技術文献】
【特許文献】
【０００７】
【特許文献１】特開２００７−１７４２２１号公報
【発明の概要】
【発明が解決しようとする課題】
【０００８】
上述した特許文献１に開示された技術では、第１読み取り動作及び第２読み取り動作の間では、圧板の角度が所定以上の差があることが前提となっている。
【０００９】
しかしながら、第１読み取り動作と第２読み取り動作との間に設定される所定時間を適切な値にしたとしても、第２読み取り動作時の圧板の角度が想定される角度まで閉じていない場合もある。例えば、ブック原稿等の比較的厚い原稿を読み取る場合には、圧板が閉じることができる範囲に限界がある。このような場合には、各読み取り動作にて得られる読取データ間に十分な輝度差が生じず、原稿幅の誤検知が発生することがある。また、圧板が所定の角度以上である場合には、外乱光の影響を受けるため、原稿幅の誤検知が発生することがある。これらの課題を解決すべく、圧板の開閉角度を高精度に検知できる高価なセンサーを用いることも考えられるが、その場合には、製造コストの増大の原因となる。
【００１０】
そこで、本発明は、上記のような問題を解決するものであり、製造コストの増大を招くことなく、正確に原稿のサイズを検出できる画像読取装置を提供することを目的とする。
【課題を解決するための手段】
【００１１】
上記目的を達成するため、本発明に係る画像読取装置の第１の特徴は、原稿を光学的に読み取る画像読取装置であって、原稿が載置される原稿台と、前記原稿台に対して開閉する圧板と、前記圧板の開閉角度が開状態から第１の角度まで閉じたことを検出する第１の角度検出手段と、前記圧板が前記第１の角度からさらに第２の角度まで閉じたことを検出する第２の角度検出手段と、前記第１の角度が検出された際に、前記原稿に向かって光を照射し、その反射光の分布を第１読取データとして記録する第１読取手段と、  前記第２の角度を検出してから所定時間が経過した際に、前記原稿に向かって光を照射し、その反射光の分布を第２読取データとして記録する第２読取手段と、前記第２読取データに基づいて、前記圧板の閉止状態を検出する圧板閉止確認手段と、前記圧板閉止確認手段により前記第２読取データを読み取った際の前記圧板の角度が前記第２の角度よりさらに閉じた第３の角度以下であることが検出された場合に、前記第１読取データと前記第２読取データとの差分に基づいて原稿幅検出を行う原稿幅検出手段とを備えることにある。
【００１２】
本発明に係る画像読取装置の第２の特徴は、前記圧板が前記第１の角度から第２の角度の間のいずれかの開閉角度であるときに、前記照射及びその消灯を行い、照射時及び消灯時の反射光の分布を記録する外乱光記録手段をさらに備え、前記原稿幅検出手段は、前記第１読取手段による記録結果に替えて、前記外乱光記録手段に記録されている記録結果を用いて原稿幅検出を行うことにある。  本発明に係る画像読取装置の第３の特徴は、前記第１読取データ及び前記第２読取データの原稿幅方向の各分布位置における最小値を抽出した合成分布データを生成する合成データ生成手段をさらに備え、前記原稿幅検出手段は、前記圧板閉止確認手段により前記圧板が前記第２の角度と前記第３の角度の間に位置していることを検出した場合には、前記合成データ生成手段で生成された合成分布データと、第１の閾値との比較結果に基づいて前記原稿幅検出を行い、前記圧板閉止確認手段により前記圧板が前記第３の角度よりも閉じていることが検出された場合には、前記第１読取手段による記録結果と前記第２読取手段による記録結果との差分と第２の閾値とに基づいて原稿幅検出を行うことにある。
【００１３】
本発明に係る画像読取装置の第４の特徴は、前記原稿幅検出手段は、前記圧板閉止確認手段により前記圧板の位置が前記第２の角度よりも大きいことが検出された場合、前記第１読取手段により読み取った前記第１読取データと、前記第１の閾値よりも高い第３の閾値とに基づいて原稿幅検出を行うことにある。
【００１４】
本発明に係る画像読取装置の第５の特徴は、原稿を光学的に読み取る画像読取装置であって、原稿が載置される原稿台と、前記原稿台に対して開閉する圧板と、前記圧板の開閉角度が開状態から所定の角度まで閉じたことを検出する角度検出手段と、前記角度検出手段が前記所定の角度を検出した際に、前記原稿に向かって光を照射し、その反射光の分布を第１読取データとして記録する第１読取手段と、前記所定の角度を通過してから所定時間が経過した際に、前記原稿に向かって光を照射し、その反射光の分布を第２読取データとして記録する第２読取手段と、前記第２読取データに基づいて、前記圧板の閉止状態を検出する圧板閉止確認手段と、前記圧板閉止確認手段により、前記圧板が前記所定の角度よりもさらに閉じた角度よりも閉じていることが検出された場合に、前記第１読取データと前記第２読取データとの差分に基づいて原稿幅検出を行う原稿幅検出手段とを備えることにある。
【００１５】
本発明に係る画像読取装置の第６の特徴は、前記第１読取手段による記録と前記第２読取手段による記録とから、各分布位置における最小値を抽出した合成分布データを生成する合成データ生成手段をさらに備え、前記原稿幅検出手段は、前記圧板閉止確認手段により前記圧板が、前記所定の角度と前記所定の角度よりもさらに閉じた角度との間に位置することが検出された場合に、前記合成分布データに基づいて原稿幅検出を行うことにある。
【発明の効果】
【００１６】
本発明に係る画像読取装置の第１の特徴によれば、圧板の開閉角度が開状態から第１の角度まで閉じた時点の「中角度領域」と、第１の角度からさらに第２の角度まで閉じた後の「小角度領域」で原稿に向かって光を照射してその反射光の分布を第１読取データ、第２読取データとして記録する。そして、小角度領域における反射光の分布である第２読取データに基づいて圧板の閉止状態を検出して、圧板が閉まっていない状態である「圧板浮き」の有無を確認する。この「圧板浮き」は、圧板の閉止動作後に、圧板と原稿台とのなす角度が、第２の角度とそれよりも小さい角度である第３の角度との間にある状態をいい、本発明では、圧板浮きが生じていない場合に、第１読取データ及び第２読取データ、すなわち中角度領域及び小角度領域における反射光の分布を比較することで得られる差分に基づいて、明るさの変化の大きい部分を非原稿部とする原稿幅検出を実行するため、原稿幅検出を確実に行うことができる。
【００１７】
本発明に係る画像読取装置の第２の特徴によれば、圧板が第２角度以上のときの照射時及び消灯時の反射光の分布を記録し、中角度領域の反射光の分布として用いる。このとき、消灯時の反射光分布には外乱光のみが含まれていることから、照射時の反射光分布から消灯時の反射光分布を差し引くことによって、外乱光を除去することができ、この消灯時の反射光分布が差し引かれた照射時の反射光分布を使って原稿幅検出を行うことにより、外乱光の影響を除去しつつ、より高い精度で原稿幅検出を確実に行うことができる。
【００１８】
本発明に係る画像読取装置の第３の特徴によれば、中角度領域と小角度領域の各分布位置における反射光の最小値（原稿幅方向の各位置における第１読取データ及び第２読取データの輝度が暗い方）を抽出した合成分布データを生成し、圧板の浮き状態を検出した場合（圧板と原稿台とのなす角度が第２角度と第３角度との間となる場合）には、合成分布データと、第１の閾値との比較結果に基づいて原稿幅検出を行い、圧板の浮き状態を検出しない場合（圧板と原稿台とのなす角度が第３角度以下となる場合）には、中角度領域及び小角度領域における反射光の分布から抽出された差分と第２の閾値との比較に基づいて、明るさの変化の大きい部分を非原稿部とする原稿幅検出を確実に行う。合成分布データでは、反射光の最小値を抽出していることから、圧板が浮き状態にある場合であっても、外乱光の影響を除去することができ、より高い精度で原稿幅検出を確実に行うことができる。
【００１９】
本発明に係る画像読取装置の第４の特徴によれば、圧板と原稿台とのなす角度が第２の角度よりも大きいことが検出された場合に、第１読取データと第１の閾値よりも高めに設定された第３の閾値とに基づいて原稿幅の検出を行う。これによって、圧板が開いて外乱光の影響がある場合であっても、精度良く原稿幅検出を確実に行うことができる。
【００２０】
本発明に係る画像読取装置の第５の特徴によれば、第１の角度まで閉じたことが検出された際と、第１の角度を通過してから所定時間が経過した際に原稿に向かって光を照射してその反射光の分布を記録する。そして、第２読取手段で得られた反射光の分布（第２読取データ）に基づいて圧板の閉止状態を検出して、圧板が閉まっていない状態である「圧板浮き」の有無を確認する。ここでの「圧板浮き」は、圧板の閉止動作後に、圧板と原稿台とのなす角度が、所定の角度とこの所定の角度から閉じた角度との間のいずれかの角度となる状態をいい、本発明では、圧板浮きが生じていない場合（圧板と原稿台とのなす角度が所定の角度から閉じた角度よりもさらに閉じている状態である場合）にのみ、第１読取手段及び第２読取手段が記録した反射光の各分布を比較することにより得られる差分に基づいて、明るさの変化の大きい部分を非原稿部とする原稿幅検出する。これにより本発明では、原稿幅検出を確実に行うことができる。
【００２１】
本発明に係る画像読取装置の第６の特徴によれば、第１読取データと第２読取データの各分布位置における最小値（各読取データのうち輝度が暗い方）を抽出した合成分布データを生成し、圧板の浮き状態を検出した場合（圧板と原稿台とのなす角度が、所定の角度と所定の角度よりもさらに閉じた角度との間のいずれかの角度となる場合）には、この合成分布データを用いて原稿幅検出を行う。合成分布データでは、反射光の最小値を抽出していることから、圧板が浮き状態にある場合であっても、外乱光の影響を除去することができ、より高い精度で原稿幅検出を確実に行うことができる。
【００２２】
これらの結果、本発明によれば、高価なセンサー等を追加するなどによって製造コストが増大するのを回避しつつ、外乱光による影響を低減させて、正確に原稿のサイズを検出できる。
【図面の簡単な説明】
【００２３】
【図１】実施形態に係る画像読取装置を含む画像形成装置の概略構成を概略的に示す説明図であり、（ａ）は装置全体の正面図であり、（ｂ）は画像読取装置部分の側面図である。
【図２】実施形態に係る画像読取装置部分を示すブロック図である。
【図３】（ａ）は原稿台カバーの概略構成を示す説明図であり、（ｂ）は検出角度領域と角度センサーとの関係を示す説明図である。
【図４】（ａ）は実施形態に係る画像読取装置の特徴的な機能部を示すブロック図であり、（ｂ）は読取制御部の機能部を示すブロック図である。
【図５】実施形態に係る画像読取動作を示すフローチャートである。
【図６】実施形態に係る原稿台の構成を示す上面図である。
【図７】（ａ）は実施形態に係る原稿台の構成においてキャリッジのポジションを示す上面図であり、（ｂ）はその側面図である。
【図８】実施形態において小角度領域で圧板浮きがない場合の原稿幅検出の説明図である。
【図９】実施形態において小角度領域で圧板浮きがある場合の黒部検出法による原稿幅検出の説明図である。
【図１０】実施形態において小角度領域で圧板浮きがある場合の合成分布データを用いた原稿幅検出の説明図である。
【図１１】実施形態に係る合成分布データを用いた原稿幅検出において閾値を変更する方法の説明図である。
【図１２】実施形態に係る光源ＯＮ／ＯＦＦ差分法による検出の説明図である。
【図１３】実施形態に係る圧板浮き検出の手順を示す説明図である。
【発明を実施するための形態】
【００２４】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。 また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２５】
（画像読取装置の構成）
図１は、本発明に係る画像読取装置１を含む画像形成装置の概略構成を模式的に示す説明図であり、図２は、画像読取装置部分の概略構成を模式的に示すブロック図である。本実施形態における画像読取装置１は、読取原稿を固定して読み取るフラットベッド方式を採用している。図１、図２に示すように、画像読取装置１は、原稿を光学的に読み取るスキャナー２０を基体とし、このスキャナー２０から出力される画像データに基づく画像を用紙等の記録媒体に形成する画像形成装置の本体１０の上部に備えられている。
【００２６】
装置本体１０には、給紙部１０２、画像形成部１０３、排紙部１０４、制御回路１５０を備えている。給紙部１０２は、多数枚の用紙を積載可能な給紙トレイ１０６、積載された用紙を１枚ずつ取り出し所定の給紙タイミングで搬送する給紙ローラ１０７を備え、印刷に際し、給紙ローラ１０７で取り出された用紙の搬送方向を搬送路に沿って規制しながら所定の給紙タイミングで画像形成部１０３に用紙を供給するユニットである。
【００２７】
画像形成部１０３は、給紙部１０２から供給された用紙の斜行を補正し、斜行補正した用紙を所定の印刷タイミングに合わせて給紙するレジストローラ対１０８、例えば電子写真方式では感光体ドラムや現像装置、インクジェット方式ではインクジェットヘッド、孔版印刷方式では印刷ドラムに該当し、レジストローラ１０８から給紙された用紙に所望の画像を印刷する画像形成手段１１２、周回する環状の搬送ベルト１０９と搬送ベルト１０９を所定方向に回動させる搬送ベルトローラ１１０とが協働して用紙を搬送する搬送手段１１１を備え、給紙部１０２から供給された用紙を搬送手段１１１で搬送しながら画像形成手段１１２によって所望の画像を印刷するユニットである。
【００２８】
排紙部１０４は、印刷が終了した用紙が排出される排紙トレイ１０５、印刷が終了した用紙を排紙トレイ１０５まで搬送する複数の排紙ローラ対１１５を備え、画像形成部１０３において印刷が終了した用紙を機外へ排紙して積載するユニットである。また、制御回路１５０は、ＣＰＵ、信号処理装置、通信処理装置等を備える。さらに、電源回路１６０は、各部に電力を供給する電力供給装置を備える。
【００２９】
前記スキャナー２０は、図２に示すように、原稿台２１、原稿台カバー２２、オートシートフィーダー２４、カバーオープンセンサー２３等から形成される。 原稿台２１は、透明なガラス等よりなる原稿台であり、読み取り対象の原稿Ｐが載置される。原稿台カバー２２は、原稿台２１の上側に設けられている。原稿台カバー２２は、原稿台２１に対して開閉し、当該原稿台２１上に載置された原稿Ｐを押さえる圧板である。原稿台カバー２２の原稿Ｐを押さえる面は、白色若しくは白色に近い色とされている。オートシートフィーダー２４は、原稿台カバー２２と一体化され原稿台２１に自動的に原稿を送る原稿自動送り装置（ＡＤＦ：Auto Document Feeder）である。
【００３０】
カバーオープンセンサー２３は、原稿台カバー２２の開閉状態及びその角度を検出する角度検出手段であり、原稿台カバー２２の開閉角度が開状態から第１の角度まで閉じたことを検出する第１の角度検出手段と、原稿台カバー２２が第１の角度からさらに第２の角度まで閉じたことを検出する第２の角度検出手段としての機能を果たす。具体的にこのカバーオープンセンサー２３は、スキャナー２０本体と原稿台カバー２２との接続箇所付近に設けられており、原稿台カバー２２が原稿台２１に対して所定の角度に達したか否かを検出する。
【００３１】
詳述すると、カバーオープンセンサー２３は、原稿台カバー２２を開閉するための支軸近傍のスキャナー２０内に設置された光学センサー２３３，２３４と、センサーフラグ２３５とからなる。光学センサー２３３，２３４は、原稿台カバー２２の複数段階の開角度を検出する機構であり、原稿台カバー２２の開閉に連動して上下するセンサーフラグ２３５によって光学センサー２３３，２３４の光が遮られることにより、原稿台カバー２２の開角度を検出することができる。なお、本実施形態では、センサーとして、光学センサー２３３，２３４を用いたが、本発明は、これに限定するものではなく、原稿台カバー２２と連動するセンサーフラグ２３５の位置が検出できればよく、例えば、同様な光−電気変換手段である、フォトカプラを使用してもよく、また、例えば、センサーフラグ２３５に相当する位置に磁石を設け、磁気センサーで磁石を検出してセンサーフラグ２３５の状態を検出する構成であってもよい。
【００３２】
また、スキャナー２０には、原稿台２１よりもホームポジション側の所定位置に、シェーディング補正を行うためのデータ等を取得する白色基準板２６が配置されている。
画像読取ユニット２５は、図６に詳細に示すように、ＣＣＤ等の画像読取素子をライン上に並べたＣＣＤラインセンサー９２、光源である露光ランプ９４、ＣＣＤラインセンサー９２及び露光ランプ９４を搭載したキャリッジ２５ａ、キャリッジ２５ａを搬送するモータ等を備える。画像読取ユニット２５は、原稿台２１に積置される原稿Ｐ、又は、オートシートフィーダー２４によって１枚ずつ給紙される原稿に露光ランプ９４による光を原稿に照射し、その反射光をＣＣＤ９２等の撮像素子で受光することにより、原稿から画像を読み取り、読み取った画像に対応する画像データをジョブデータとして制御回路１５０へ出力する。
【００３３】
次いで、原稿台カバー２２の原稿検出角度、及び原稿台カバー２２の角度検出について説明する。図３（ａ）は、原稿台カバーの位置を説明する側面図であり、同図（ｂ）は、原稿台カバーの原稿サイズ検出位置とセンサーの検知状態とを示す説明図である。
【００３４】
原稿台カバー２２は、開状態では、図３（ａ）に実線で示す開位置にある。閉状態では、原稿台カバー２２は、二点鎖線で示す閉位置にある。原稿台カバー２２は、リア側の一辺を中心軸として回動することで、原稿台２１に対して開閉する。
【００３５】
第１角度は、図３（ａ）に破線で示す原稿台カバー２２の位置であり、原稿台カバー２２と原稿台２１とがなす角度θが角度θ１になる位置である。第１角度θ１は、開位置にある原稿台カバー２２と原稿台２１とがなす角度よりも小さい。原稿台カバー２２が閉じられる過程で第１角度θ１になる位置に到達すると、カバーオープンセンサー２３によって、原稿台カバー２２の開閉状態が変化したと判断される。
【００３６】
第２角度は、図３（ａ）に一点鎖線で示す原稿台カバー２２の位置であり、原稿台カバー２２と原稿台２１とがなす角度θが角度θ２になる位置である。第２角度θ２は、第１角度θ１よりも小さい。そして、本実施形態では、原稿台カバー２２の位置が３つの領域に分類される。具体的には、原稿台カバー２２が位置する領域は、図３（ｂ）に示すように、原稿台カバー２２と原稿台２１とがなす角度が第２角度θ２よりも小さい小角度領域、原稿台カバー２２と原稿台２１とがなす角度が第１角度θ１よりも大きい大角度領域、原稿台カバー２２と原稿台２１とがなす角度が第２角度θ２以上かつ第１角度θ１以下となる、小角度領域と大角度領域との間に位置する中角度領域の３つに分けられる。
【００３７】
さらに、本実施形態では小角度領域は、第２角度θ２よりも閉じた角度である図３（ａ）に示す第３角度θ３よりも閉じているか、それとも開いているかによって２つの領域に区分される。そして、本実施形態における「圧板浮き」は、図３（ｂ）に示すように、原稿台カバー２２を閉止させる際に第２角度まで閉じてから所定時間経過した後に、原稿台カバー２２と原稿台２１とがなす角度が、第２の角度より小さいが第３の角度より大きい状態をいう。
【００３８】
これらの領域のいずれかに位置するかは、カバーオープンセンサー２３の検出結果により判断される。具体的に、カバーオープンセンサー２３が大角度領域から中角度領域に移動する第１角度に達した場合には、中角度センサー（光学センサー２３３）がＯＦＦ状態からＯＮ状態となり、中角度領域から小角度領域に移動する第２角度に達した場合に、小角度センサー（光学センサー２３４）がＯＦＦ状態からＯＮ状態となるようになっている。なお、圧板浮きの状態の検出については、後述する。
【００３９】
（読取制御部の構成）
図４（ａ）は、画像読取装置１の特徴的な機能部を示すブロック図であり、同図（ｂ）は、読取制御部の機能部を示すブロック図である。簡単のため本実施の形態の説明上重要でない機能部は省略している。
【００４０】
図４（ａ）に示すように、制御回路１５０は、ＣＰＵ５０と、ＲＡＭ３０と、フラッシュメモリ４０と、入出力インターフェース８０と、ＦｅＲＡＭ６０と、ＵＳＢインターフェース７０と、各部を接続するシステムバス１５０ａとを備える。
【００４１】
フラッシュメモリ４０には、プログラム及びコンフィギュレーション用の回路情報が不揮発的に記録されている。ＲＡＭ３０は、ＣＰＵ２０の作業領域である。ＣＰＵ２０は、フラッシュメモリ４０に記録されたプログラムにしたがって機能モジュールを仮想的に構築する。
【００４２】
画像読取ユニット１４０は、原稿台２１上に載置された原稿Ｐのサイズを検出するための原稿サイズ検知センサー９１を備える。この原稿サイズ検知センサー９１は、図６に示すように、原稿の副走査方向における長さを検出する原稿長検出サイズセンサー９１ａ〜ｄを備え、この原稿長検出サイズセンサー９１ａ〜ｄは、発光素子と受光素子とのから構成された反射センサーであり、定形サイズに対応した位置にそれぞれ配置されている。
【００４３】
また、画像読取ユニット１４０には、画像を光学的に読み取るＣＣＤ９２と、光学系のレンズやミラーを駆動するモータ９３と、原稿に向けて照射する照明である露光ランプ９４とが含まれる。ＣＣＤ９２は、受光素子が主走査方向に沿ってライン状に配置されており、各受光素子で原稿からの反射光を読み取ることによって画像を読み取る機能と併せて、各受光素子によって原稿Ｐからの反射光や原稿台２１に向かって入射される外乱光を検出し、リア側において原稿が突当たる位置を原点とするライン上の輝度分布を検出することにより原稿幅を判定する機能も備えている。本実施形態では、ＣＣＤ９２で検出される主走査方向における原稿幅と、センサー９１ａ〜９１ｄで検出される副走方向における原稿長さの組み合わせから原稿の定形サイズを検知する。
【００４４】
他方、図４に示すフラッシュメモリ４０には、種々のプログラムやデータが記録されており、このプログラムには画像読取処理に必要な論理回路を構築するための回路情報が含まれるほか、読取制御部５２の回路情報も含まれている。ＦｅＲＡＭ６０には、画像読取装置１の機体に固有の各種の調整値等が不揮発的に記録されている。ＵＳＢインターフェース７０には、ホスト装置であるプリンタと画像読取装置１とを接続するＵＳＢケーブルが接続される。
【００４５】
上記ＣＰＵ５０は、プログラムをロードすることにより論理回路等の機能モジュールを仮想的に構成することができる集積回路である。本実施形態では、プログラムをロードすることにより、スキャナーコントローラー５１と、読取制御部５２とが構築される。なお、本実施形態において「モジュール」とは、装置や機器等のハードウェア、或いはその機能を持ったソフトウェア、又はこれらの組み合わせなどによって構成され、所定の動作を達成するための機能単位を示す。
【００４６】
スキャナーコントローラー５１は、キャリッジ２５ａに関する制御などを実行するモジュールであり、画像読取ユニット１４０に含まれるＣＣＤ９２やモータ９３、露光ランプ９４などの装置の動作を制御する。一方、読取制御部５２は、画像を読み取る際に原稿サイズの判定や、画像読取に必要な演算処理を実行するモジュールであり、本実施形態では、外乱光の輝度変動を検出する機能が含まれている。
【００４７】
キャリッジ２５ａは、ＣＣＤ９２や露光ランプ９４を搭載し、移動させるユニットであり、モータ９３によって副走査方向に水平移動するようになっている。詳述すると、図７に示すように、画像読取装置１の状態及び読取動作の段階に応じて、キャリッジポジションに移動するようになっている。待機時おいては、原稿台２１のガラス面から副走査方向に離間されたホームポジションＰ１に退避している。このホームポジションＰ１は、突当て位置である原点よりも奥（図７中のｙ軸方向左向き）に位置され、オートフィーダー動作時に原稿が通過する箇所に設けられたＡＦ窓に対応された位置であり、事前外乱光検出位置を兼ねている。また、シェーディング補正時には、シェーディング読取ポジションＰ２に移動する。シェーディング読取ポジションＰ２は、ホームポジションＰ１の原稿台２１側に隣接された白色基準板２６に対応した位置であり、白色基準板２６を読み取ることでシェーディング補正を行うためのデータ等を取得する。さらに、原稿サイズの検知時には、原稿サイズ検知ポジションＰ３に移動する。この原稿サイズ検知ポジションＰ３は、原稿台２１のガラス面の下方において、原点から２センチ程度副走査方向に移動した位置である。
【００４８】
（読取制御部の構成）
図４（ｂ）は、読取制御部５２の内部構成を示すブロック図である。同図に示すように、読取制御部５２は、原稿サイズ検出に対応するモジュールとして、主に読取部５２ａと、原稿サイズ検出部５２ｃと、角度判定部５２ｅとを備えている。
【００４９】
読取部５２ａは、各開閉角度が検出された際に所定のタイミングにて露光ランプ９４を点灯（照射）し、ＣＣＤ９２が読み取った画像データに含まれる反射光の分布を解析するモジュールであり、輝度分布記録部５２ｉを有している。この輝度分布記録部５２ｉは、各開閉角度が検出された際に所定のタイミング読み取られる反射光の分布データとその分布データの読み取りを行ったタイミングとを関連づけて記録するモジュールであり、第１の角度が検出された際に取得される反射光の分布データ（請求項中の第１読取データに相当する。）を記録する第１読取手段と、第２の角度を通過してから所定時間が経過した際に取得される反射光の分布データ（請求項中の第２読取データに相当する。）を記録する第２読取手段としての機能を果たす。
【００５０】
原稿サイズ検出部５２ｃは、読取制御部５２の各モジュールが検出又は解析した各データから原稿の幅と長さとを検出するモジュールである。この原稿サイズ検出部５２ｃは、原稿幅検出手段としての機能を有しており、原稿サイズを検出する際に、閉止確認部５２ｊによる検出結果に応じて、第１読取データと第２読取データとの差分に基づいて、明るさの変化の大きい部分を非原稿部とする原稿幅検出を行う。
【００５１】
角度判定部５２ｅは、カバーオープンセンサー２３が検出した原稿台カバー２２の開閉角度から、角度領域を判定するモジュールであり、原稿サイズ検出に際し、原稿台カバー２２が開状態から第１の角度まで変化したこと、及び原稿台カバー２２が第１の角度からさらに第２の角度まで変化したことを検出する。本実施形態における角度判定部５２ｅは、さらに閉止確認部５２ｊを有している。この閉止確認部５２ｊは、小角度領域における原稿台カバー２２の浮きを判定するモジュールであり、第２角度が検出され所定時間が経過した後にタイミングで得られた反射光の分布データ（第２読取データ）に基づいて、原稿台カバー２２の閉止状態を検出し、圧板浮きの有無を判定する。
【００５２】
さらに、読取制御部５２は、合成データ生成部５２ｄと、閾値調整部５２ｆと、外乱光除去処理部５２ｇとを備えている。
【００５３】
合成データ生成部５２ｄは、第１読取データ及び第２読取データの各光分布データ同士を比較し、原稿幅方向の各分布位置における最小値を抽出した合成分布データを生成するモジュールであり、原稿サイズ検出部５２ｃは、閉止確認部５２ｊが原稿台カバー２２の浮き状態を検出した場合（原稿台カバー２２と原稿台２１とのなす角度が第２角度θ２以下であるが、第３角度θ３以上であるの場合）には、合成データ生成部５２ｄで生成された合成分布データと、所定の閾値との比較結果に基づいて原稿幅検出を行う。一方、閉止確認部５２ｊが原稿台カバー２２の浮き状態を検出しない場合（原稿台カバー２２と原稿台２１とのなす角度が第３角度θ３以下の場合）には、原稿サイズ検出部５２ｃは、第１読取データと、第２読取データとの差分と所定の閾値に基づいて、明るさの変化の大きい部分を非原稿部とする原稿幅検出を行う。
【００５４】
閾値調整部５２ｆは、閉止確認部５２ｊによって原稿台カバー２２の浮き状態が検出されたか否かに応じて、所定の閾値を変化させるモジュールであり、原稿台カバー２２の浮き状態が検出された場合の閾値を、圧板浮き状態が検出されなかった場合の閾値よりも、低め（暗め）に設定する。この閾値調整部５２ｆが設定した閾値は、原稿サイズ検出部５２ｃに入力される。
【００５５】
外乱光除去処理部５２ｇは、原稿に向かって光を照射する露光ランプ９４による照射及びその消灯を行い、照射時及び消灯時の反射光の分布を記録し、記録された反射光又は入射光の分布から抽出された差分に基づいて、外乱光の成分を除去するモジュールである。この外乱光除去処理部５２ｇは、外乱光記録部５２ｈを備えており、この外乱光記録部５２ｈは、前記圧板が前記第２角度θ２以上の開閉角度であるときに、露光ランプ９４の照射及びその消灯を行い、照射時及び消灯時の反射光又は入射光の分布を記録するモジュールであり、外乱光除去処理部５２ｇは、照射時の反射光又は入射光の分布から外乱光の成分（消灯時の反射光又は入射光の分布）を除去し、その結果を外乱光記録部５２ｈに記録する。
【００５６】
なお、この処理を実施するのは圧板が第１の角度から第２の角度の際に実行されることが好ましい。また、ユーザからの指示があったときだけでも良いし、圧板の開閉が行われるたびに行うようにしても良い。
【００５７】
前記原稿サイズ検出部５２ｃは、原稿幅検出に際し、第１読取データに替えて、外乱光記録部５２ｈに記録された外乱光除去処理部５２ｇよる演算結果を用いて、原稿幅検出を行う。具体的には、外乱光記録部５２ｈに記録されている記録結果と、第２読取データとの差分に基づいて、明るさの変化の大きい部分を非原稿部とする。
【００５８】
そして、これら各モジュールは、動作制御部５２ｂによってその動作が統合的に制御される。動作制御部５２ｂは、各センサーからのデータが入力され、読取制御部５２内の各モジュールに振り分けられる。具体的には、スキャナーコントローラー５１を通じて、原稿サイズ検知センサー９１やＣＣＤ９２から、センサーの検知結果や読取画像データが入力され、カバーオープンセンサー１７０からは原稿台カバー２２の開閉角度などが入力される。
【００５９】
（圧板浮き検出の手順）
ここで、本実施形態における圧板浮きの検出方法について説明する。本実施態では、小角度領域で圧板の閉止状態（浮き状態）を検出し、その検出結果に基づいて、原稿幅の検出方法を切り替えている。ここでは、小角度領域で得られた反射光の分布（第２読取データ）に基づいて、原稿台カバー２２（圧板）の閉止状態を検出して、浮き状態の有無を判定する。圧板の開閉状態に応じて原稿幅の検出方法を切り替えるためである。例えば、圧板が浮いている状態での原稿幅の検出に、読取データ同士の差分値を使用する圧板開閉差分法を使うことは適切でなく、原稿幅の誤検知につながる。
【００６０】
圧板浮き検出の手順を詳述すると、図１３（ａ）及び（ｂ）に示すように原稿台カバー２２が小角度にある際に読み取られた第２読取データを使って、同図（ｂ）に示す浮き検出領域Ａ３の輝度が低いことを検出する。この浮き検出領域Ａ３は、原稿台２１の読み取り部分の端、すなわち突当て位置から読取最大幅（最大サイズ検知位置）よりも離れた特定主走査位置に設定されている。原稿台カバー２２が完全に閉じている場合は、図１３（ｃ）に示すように、圧板からの反射光により浮き検出領域Ａ３付近の輝度も高くなっている。これに対して、圧板が浮いた状態では、圧板が浮くことにより反射光が拡散され、浮き検出領域Ａ３付近の輝度が低くなる。本実施形態では、この浮き検出領域Ａ３における輝度が低い（黒）場合に、圧板浮き有りと判定する。
【００６１】
（原稿幅検出方法の手順）
次いで、本実施形態における原稿幅の検出方法について説明する。本実施形態では、角度領域及び圧板浮きの有無によって、原稿幅の検出方法を切り替えている。
【００６２】
（１）大角度領域及び中角度領域での検出方法
（１−１）黒部検出法による検出
この大角度領域及び中角度領域では、圧板からの反射光が映り込みにくいことから、原稿部分の輝度が大きく、非原稿部分の輝度が小さいことを前提としたいわゆる黒部検出法を用いる。具体的には、図８（ａ）に示すように、中角度領域で取得された輝度分布データ（第１読取データ）に基づいて、主走査方向に延びるラインセンサー上の各画素での輝度と、所定の閾値とを、フロント側から比較していき、はじめに輝度が閾値を上回った位置を原稿端として検出する。同図（ａ）に示した例では、フロント側の領域Ａ２では原稿による反射光が殆どないことから輝度が低く、原稿が載置された領域Ａ１に差し掛かると原稿からの反射光ｒｅｆ１により輝度が上昇し、閾値（請求項における第３の閾値に相当する。）を上回っている。このことから、領域Ａ１に原稿があると判定し、その幅を原稿幅として検出する。
【００６３】
（１−２）光源ＯＮ／ＯＦＦ差分法による検出
原稿台カバー２２を全開にして読み取りを行う場合や、原稿台カバー２２が大角度領域又は中角度領域に位置している場合には、原稿部分の反射光による輝度が大きくなるとともに、外乱光が入射した部分も輝度が大きくなるため、外乱光の影響を除去する必要がある。本実施形態では、光源をＯＮとＯＦＦのときにおける反射光の輝度分布の差分に基づいて原稿端を検出する手法を用いることができる。すなわち、圧板の位置第２の角度以上のいずれかにあるときに、ランプ９４の照射及びその消灯を行い、照射時から消灯時の反射光の輝度分布を除外して、露光ランプ９４の差分データとして記録する。
【００６４】
光源ＯＮの読取では、図１２（ａ）及び（ｂ）に示すように、リア側の領域Ａ１において原稿による反射光による輝度が大きくなるとともに、非原稿部分であるフロント側Ａ３において外乱光が入射される。その一方、光源ＯＦＦの読取では、図１２（ｃ）及び（ｄ）に示すように、フロント側の領域Ａ２において外乱光の部分だけの輝度が大きくなる。したがって、これらの差分を抽出すると、図１２（ｅ）に示すように、原稿部分の輝度はそのままに、非原稿部分では外乱光の輝度だけが打ち消された、定位置読取輝度データを生成することができる。
【００６５】
この定位置読取輝度データに基づいて、主走査方向に延びるラインセンサー上の各画素での輝度と、所定の閾値とを、フロント側から比較していき、はじめに輝度が閾値を上回った位置を原稿端として検出する。同図（ｆ）に示した例では、フロント側の領域Ａ２では原稿による反射光が除去されていることから輝度が総じて低く、原稿が載置された領域Ａ１に差し掛かると原稿からの反射光ｒｅｆ１により輝度が上昇し、閾値を上回っている。このことから、領域Ａ１に原稿があると判定し、その幅を原稿幅として検出することができる。
【００６６】
（２）小角度領域において圧板浮きがない場合の検出方法（圧板開閉差分法）
一方、小角度領域では、この領域内での圧板浮きの有無によって圧板からの反射光が映り込まなかったり、外乱光が入り込んだりすることから、本実施形態では、圧板浮きの有無に応じて、小角度領域における原稿幅の検出方法を切り替えている。なお、本実施形態では、圧板回転中心(圧板のヒンジ）から離れた位置（フロント側）における、第２読取データの反射光の分布に基づいて圧板浮きを検出し、検出方法を変更する。
【００６７】
小角度領域において圧板浮きがない場合（原稿台カバー２２と原稿台２１とのなす角度が第２角度θ２よりも小さい第３角度θ３以下である場合）には、第１読取データと第２読取データの輝度分布同士の比較結果に基づいて、明るさの変化が所定の閾値（請求項における第２の閾値に相当）よりも大きい部分を非原稿部とするいわゆる圧板開閉差分法を用いる。詳述すると、図８（ｂ）に示すように、圧板が大角度及び中角度領域に位置しているときには、フロント側の領域Ａ２の非原稿部分には圧板からの反射光が映り込まず輝度が低い状態となる。そして、圧板が閉められ小角度領域に到達し、圧板浮きがなければ、同図（ｃ）に示すように、フロント側の領域Ａ２非原稿部分において圧板からの反射光ｒｅｆ２が映り込んで輝度が上昇する。したがって、ため、この小角度における輝度分布（図８（ｃ））と、大角度・中角度領域における輝度分布（図８（ｂ））との差分を算出することにより、図８（ｄ）に示すような、圧板の開閉による非原稿部分に生じる輝度差ｒｅｆ３を検出することによって、領域Ａ１に原稿があると判定し、その幅を原稿幅として検出する。
【００６８】
なお、このときに使用される第１読取データに代えて上記（１−２）にて取得した中角度領域における定位置読取輝度データ（光源ＯＮにて取得した読取データから光源ＯＦＦにて取得した読取データを除去したデータ）を使用しても良い。外乱光の影響を除去したデータを使って原稿幅を検出するため、原稿幅の誤検出を抑制することができる。
【００６９】
（３）小角度領域において圧板浮きがある場合の検出方法
（３−１）黒部検出法による検出
小角度領域において圧板浮きがある場合には、図９に示すように、フロント側の領域Ａ２において外乱光ｏｕｔ１が映り込みやすいことから、原稿部分における反射光ｒｅｆ１の輝度が大きく、非原稿部分の輝度が小さいことを前提とした黒部検出法を用いることができる。具体的には、図９に示すように、中角度領域で取得された輝度分布データ（第１読取データ）に基づいて、主走査方向に延びるラインセンサー上の各画素での輝度と、所定の閾値とを、フロント側から比較していき、はじめに輝度が閾値を上回った位置を原稿端として検出する。図９に示した例では、フロント側の領域Ａ２では原稿による反射光はないものの外乱光ｏｕｔ１が入り込んでいることから、領域Ａ１よりは輝度が低いものの若干の輝度が検出されている。したがって、本実施形態では、閾値をこの外乱光ｏｕｔ１による輝度よりも高い値の閾値を設定し、外乱光ｏｕｔ１を検出しないようにした上で、原稿からの反射光ｒｅｆ１により輝度が閾値を上回っていることを検出し、領域Ａ１に原稿があると判定し、その幅を原稿幅として検出する。
【００７０】
（３−２）合成分布データによる検出
なお、上記黒部検出法では、濃度が中間色の原稿に関する誤検知を防ぐために、原稿有無判定の輝度に対する閾値を低く設定することから外乱光の影響を受けやすく、誤検出となりやすい。このため、本実施形態では、外乱光の程度により、上記黒部検出法に替えて、合成分布データ検出方法による原稿幅の検出方法を選択できるようになっている。
【００７１】
詳述すると、大角度・中角度領域では、図１０（ａ）に示すように、フロント側の領域Ａ２において外乱光ｏｕｔ２が映り込みやすいことから、原稿部分における反射光ｒｅｆ４の輝度が大きく、非原稿部分の輝度が小さいことを前提とした黒部検出法では、外乱光の影響により誤検知を生じる可能性がある。一方、小角度領域では、圧板浮きが生じると、図１０（ｂ）に示すように、フロント側の領域Ａ２において圧板からの反射光である反射光ｏｕｔ３が映り込み、反射光ｏｕｔ３の強さによっては閾値を上回ってしまい、原稿端を誤検出する可能性がある。
【００７２】
そこで、本実施形態では、図１０（ｃ）に示すように、中角度領域における輝度分布（図１０（ａ））と小角度領域にける輝度分布（図１０（ｂ））とを比較し、すなわち第１読取データと第２読取データとを比較し、各分布位置における最小値を抽出した合成分布データを生成する。図１０（ｃ）に示した例では、リア側の領域Ａ１では、小角度領域での輝度分布が中角度領域での輝度分布よりも総じて低いことから、領域Ａ１では小角度領域における反射光ｒｅｆ５が最小値として抽出されており、非原稿部である領域Ａ２では、局所的な外乱光ｏｕｔ２の部分を除いては、大角度領域での輝度分布が小角度領域での輝度分布よりも概ね０であることから、外乱光ｏｕｔ２部分を除き、領域Ａ２では中角度領域における反射光０の値が抽出されており、外乱光ｏｕｔ２部分では、小角度領域の反射光ｏｕｔ３を超える部分がカットされ、台形状をなす外乱光ｏｕｔ４が最小値として抽出されている。そして、この合成分布データと、閾値（請求項における第１の閾値に相当。）との比較結果に基づいて、原稿からの反射光ｒｅｆ５により輝度が閾値を上回っていることを検出し、領域Ａ１に原稿があると判定し、その幅を原稿幅として検出する。
【００７３】
この合成データを用いた検出方法では、外乱光に対する性能と、濃い原稿の検知性能とが相殺することとなり、原稿の明度によっては、原稿幅の誤検知を生じる可能性がある。すなわち、上述した閾値の値を高くして明るい側にすると外乱光による影響を除去でき、閾値の値を低くして暗い側にすると、濃い原稿を検知しやすくなる。このため、強い外乱光を考慮して閾値を設定した場合、図１１（ａ）に示すように、例えば、ライトグレーの原稿のように比較的明度が高く、反射光ｒｅｆ５が外乱光ｏｕｔ２よりも高い原稿は検知できるが、図１１（ｂ）に示すように、ダークグレーの原稿のように比較的明度が低く、反射光ｒｅｆ５が外乱光ｏｕｔ２を下回るような原稿は、領域Ａ２においても閾値を下回ってしまい、原稿端を検知できないという問題が生じうる。
【００７４】
そこで、本実施形態では、原稿の明度に応じて閾値を変化させる。例えば、ダークグレーの原稿を黒部検出法で幅検知する場合には、図１１（ｃ）に示すように、閾値を下げて暗い側に設定することで、外乱光の誤検知を起こすことなく、濃い色の原稿まで検知が可能となる。
【００７５】
なお、（３−２）で用いられる閾値は、（１−１）、（３−１）で用いられる閾値よりも低い（小さい）値である。これは、原稿幅方向の所定位置ごとに第１読取データと第２読取データとの最小値を抽出した合成データは、外乱光の影響を低くしたものであるため、原稿色やの原稿濃度が低いものであっても外乱光の影響を抑制して精度良く原稿幅を検出することが可能となるためである。
【００７６】
（画像読取時における動作制御）
以上説明した原稿幅検出機能を備えた本実施の形態における画像読取装置１の特徴的な画像読取時における動作制御について説明する。図５は、画像読取時における動作を示すフローチャートである。
【００７７】
先ず、サイズの読取処理が開始されると、第１の角度が検出されるまで、ループ処理によって待機状態となる（Ｓ１０１における「Ｎ」）。そして、原稿台カバー２２の開閉角度が開状態から第１角度まで変化したことが検出されると（Ｓ１０１における「Ｙ」）、第１角度の時点において、原稿に向かって光を照射し、その反射光の分布を第１読取データとして記録する（Ｓ１０２）。このとき、上述した光源ＯＮ／ＯＦＦ差分法による検出により、ＯＮ時の読取データからＯＦＦ時の読取データを除去した外乱光の影響のない読取データの記録を行ってもよい。
【００７８】
さらに、原稿台カバー２２が第１角度からさらに第２角度まで変化したことを検出されるのを、ループ処理によって待機し（Ｓ１０３における「Ｎ」）、第２角度が検出されると（Ｓ１０３における「Ｙ」）、その時点からの所定時間の経過を計測し（Ｓ１０３における「Ｎ」）、第２角度を通過してから所定時間経過後の時点において、原稿に向かって光を照射し、その反射光の分布を第２読取データとして記録する（Ｓ１０５）。
【００７９】
次いで、閉状態の確認を行う（Ｓ１０６）。すなわち、ステップＳ１０５における第２読取処理の結果に基づいて、第２読取データ取得時の原稿台カバー２２の浮き状態の有無を検出する。すなわち、圧板閉止確認部５２ｊは第２読取データのフロント側の輝度分布を用いて、これらの輝度が所定の閾値以下であれば原稿カバー２２と原稿台２１とがなす角度が第３角度θ３以下であり小角度領域での原稿カバー２２の浮きは無いと判断し、これらの輝度が所定の閾値よりも大きければ原稿カバー２２と原稿台２１とがなす角度が第２角度θ２から第３角度θ３の間に位置しているため、小角度領域内で浮いた状態であると判断する。この原稿台カバー２２の浮き状態の有無に応じて、原稿幅検出処理の手法を切り替える（Ｓ１０７）。具体的には、圧板浮きが検出されなかった場合には（Ｓ１０７における「Ｎ」）、第１読取データ及び第２読取データの輝度分布同士の差分に基づいて原稿幅検出処理を行い（Ｓ１０８〜Ｓ１０９）、圧板浮きが検出された場合には（Ｓ１０７における「Ｙ」）、輝度の低い部分（暗い部分）を原稿部分として検出する原稿幅検出処理を行う（Ｓ１１０〜Ｓ１１１）。この暗い部分を検出する手法としては、図９に示した黒部検出法による検出や、図１０に示した合成分布データによる検出法を選択することができる。
【００８０】
詳述すると、ステップＳ１０８〜Ｓ１０９における輝度の差分に基づく原稿幅検出処理では、第１読取データ及び第２読取データの輝度分布同士比較結果に基づいて、明るさの変化の大きい部分を非原稿部とする原稿幅検出を行う。
【００８１】
なお、本実施形態では、ステップＳ１０７において、圧板の浮き状態が検出されたか否かに応じて、原稿幅検出のための閾値を変化させる（Ｓ１０８又はＳ１１０）。具体的には、原稿台カバー２２の浮き状態が検出された場合（Ｓ１０７における「Ｙ」）の閾値を、圧板の浮き状態が検出されなかった場合（Ｓ１０７における「Ｎ」）の閾値よりも、低めに設定する。
【００８２】
ステップＳ１０７において圧板の浮き状態が検出されなかったため、外乱光変化検出閾値を高く設定して、外乱光に対する許容量を大きくして、外乱光を検出しにくくする（Ｓ１０８）。ステップＳ１０９における輝度の差分に基づく原稿幅検出処理では、この変更された閾値を用いて、明るさの変化の大きい部分を非原稿部とする原稿幅検出を行う。
【００８３】
一方、ステップＳ１０７において、圧板浮きが検出された場合には（Ｓ１０７における「Ｙ」）、外乱光変化検出閾値を低く設定して、外乱光に対する許容量を小さくして、外乱光を検出しやすくする（Ｓ１１０）。
【００８４】
そして、ステップＳ１１１における合成分布データに基づく原稿幅検出処理では、第１読取データと第２読取データとを比較し、各分布位置における最小値を抽出した合成分布データを生成する。次いで、原稿サイズ検出部５２ｃは、合成分布データと、所定の閾値との比較結果に基づいて原稿幅検出を行う。
【００８５】
なお、本実施形態では、ステップＳ１０１における待機状態（Ｓ１０３における「Ｎ」）に、原稿台カバー２２が第２の角度以上の開閉角度であるとき、露光ランプ９４の照射及びその消灯を行い、照射時及び消灯時の反射光の分布を記録して、外乱光除去処理を行うようにしている。この外乱光除去処理が実行された場合、原稿サイズ検出部５２ｃは、第１角度における輝度分布に替えて、外乱光記録手段による記録結果（外乱光が除去された第１角度における輝度分布）と、第２角度における記録結果との差分に基づいて、明るさの変化の大きい部分を非原稿部とする原稿幅検出を行う。
【００８６】
なお、上記実施例では、第２読取データに基づいて、圧板閉止確認手段による圧板の閉止状態の検出、及び原稿幅検出手段による原稿幅検出を行った。しかし、これらの検出にて使用されるデータは異なるものであっても良い。すなわち、原稿台カバー２２が第２の角度を通過し所定時間後に圧板閉止確認手段による圧板の閉止状態を検出するための第２読取データを収集し、その後、さらに遅れて露光ランプ９４を照射して原稿幅検出用の反射光の分布データを採取するようにしても良い。すなわち、請求項１における所定時間には第２角度通過後の複数の経過時間が含まれるようにしてもよい。
【００８７】
なお、上記実施形態では、２種類の角度センサー２３３，２３４を用いて説明したが、部品点数を減らすため、一方のセンサーを削除しても良い。具体的には、センサー２３３を削除し、角度センサー２３４のみとしても良い。
【００８８】
このように構成した際には、原稿カバー２２が所定の角度まで閉じたことが角度センサー２３４に検出された際に第１読取データを取得し、これから所定時間が経過した後に第２読取データを取得するよう輝度分布記録部５２ｉを制御する。そして、開閉確認部５２ｊは、第２読取データの原稿台２１のフロント側に相当する部分の輝度分布を使って、原稿カバー２２がセンサー２３４で検出される角度よりも低い角度αよりも閉じているか否か、すなわち原稿カバー２２の浮き状態を判定する。そして、原稿カバー２２と原稿台２１とのなす角度が角度αよりも閉じている、すなわち、浮いていないと判定された場合に、原稿サイズ検出部５２ｃが第１読取データと第２読取データとの差分に基づいて（圧板開閉差分法を使って）原稿幅の検出を行うようにする。一方、角度αよりも大きい角度、すなわち浮き状態が確認されれば、第１読取データと第２読取データとの主走査分布における最小値を抽出した合成分布データを合成データ生成部５２ｄに生成させ、原稿サイズ検出部５２ｃはこの合成分布データに基づいて原稿幅を検出するようにする。
【００８９】
なお、発明は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。
【符号の説明】
【００９０】
θ１…第１角度
θ２…第２角度
Ａ１…リア側領域
Ａ２…フロント側領域
Ａ３…圧板浮き検出領域
Ｐ…原稿
Ｐ１…ホームポジション
Ｐ２…シェーディング読取ポジション
Ｐ３…原稿サイズ検知ポジション
１…画像読取装置
１０…装置本体
２０…スキャナー
２１…原稿台
２２…原稿台カバー
２３…カバーオープンセンサー
２４…オートシートフィーダー
２５…画像読取ユニット
２５ａ…キャリッジ
２６…白色基準板
３０…ＲＡＭ
４０…フラッシュメモリ
５０…ＣＰＵ
５１…スキャナーコントローラー
５２…読取制御部
５２ａ…読取部
５２ｂ…動作制御部
５２ｃ…原稿サイズ検出部
５２ｄ…合成データ生成部
５２ｅ…角度判定部
５２ｆ…閾値調整部
５２ｇ…外乱光除去処理部
５２ｈ…外乱光記録部
５２ｉ…輝度分布記録部
５２ｊ…閉止確認部
６０…ＦｅＲＡＭ
７０…ＵＳＢインターフェース
８０…入出力インターフェース
９１…原稿サイズ検知センサー
９１ａ〜ｄ…原稿長検出サイズセンサー
９２…ＣＣＤラインセンサー
９３…モータ
９４…露光ランプ
１０２…給紙部
１０３…画像形成部
１０４…排紙部
１０５…排紙トレイ
１０６…給紙トレイ
１０７…給紙ローラ
１０８…レジストローラ対
１０９…搬送ベルト
１１０…搬送ベルトローラ
１１１…搬送手段
１１２…画像形成手段
１１５…排紙ローラ対
１４０…画像読取ユニット
１５０…制御回路
１５０ａ…システムバス
１６０…電源回路
１７０…カバーオープンセンサー
２３２…可動部
２３３…シャッター
２３４…回動部材
２３５…透孔部
２３６…フォトインタラプタ
【図１】
0006574631.tif 000002
【図２】
0006574631.tif 000003
【図３】
0006574631.tif 000004
【図４】
0006574631.tif 000005
【図５】
0006574631.tif 000006
【図６】
0006574631.tif 000007
【図７】
0006574631.tif 000008
【図８】
0006574631.tif 000009
【図９】
0006574631.tif 000010
【図１０】
0006574631.tif 000011
【図１１】
0006574631.tif 000012
【図１２】
0006574631.tif 000013
【図１３】
0006574631.tif 000014